(57)【特許請求の範囲】
【請求項１】
電動走行状態から手押し走行状態に切り替えることが可能な小型電動車両であって、
電動モーターで駆動される駆動輪と、
前記駆動輪と比べて走行抵抗が小さい補助輪と、
前記電動走行状態では前記駆動輪を走行面に接地させると共に前記補助輪を走行面から離間させる一方、前記手押し走行状態では前記駆動輪を走行面から離間させると共に前記補助輪を走行面に接地させる可変機構とを備え、
前記可変機構は、前記補助輪を走行面に接地させることにより前記駆動輪を走行面から浮上させて、前記電動走行状態から前記手押し走行状態に切り替え、
ハンドルを固定するためのハンドルロック機構を備え、
前記手押し走行状態において、前記ハンドルロック機構により前記ハンドルが固定された状態で、一端部がシートに載置されるショッピングバスケットの他端部を支えるサポート部材を備え、
前記ハンドルロック機構は、係止部材と係止穴とで構成され、
前記サポート部材の移動によって、前記係止部材の先端部が前記係止穴に挿入されると共に、前記ショッピングバスケットの他端部を前記サポート部材の上端部で支持することが可能な状態に移行することを特徴とする小型電動車両。
【請求項２】
メインフレームと、
前記メインフレームに取り付けられると共に第１ガイド溝が貫設され、前記第１ガイド溝の下端にノッチ部が形成されたブラケットと、
前端部が前記ブラケットに回動可能に支持され、中央部に第２ガイド溝が貫設され、後端部にペダルが設けられたワンタッチレバーと、
一端部が前記ブラケットに回動可能に支持され、中央部に第３ガイド溝が貫設され、他端部に前記補助輪が設けられたスイングアームと、
前記第１ガイド溝、前記第２ガイド溝、及び前記第３ガイド溝に通されたガイド軸と、
前記ワンタッチレバー又は前記ガイド軸を付勢して、前記第１ガイド溝、前記第２ガイド溝、及び前記第３ガイド溝内の所定箇所に前記ガイド軸を位置させることにより、前記電動走行状態とする付勢部材とを備え、
前記可変機構は、前記ワンタッチレバーの回動に応じて、前記ガイド軸が前記第１ガイド溝、前記第２ガイド溝、及び前記第３ガイド溝内を誘導され、前記ガイド軸が前記ノッチ部に係止されることにより、前記電動走行状態から前記手押し走行状態にワンタッチで切り替えることを特徴とする請求項１に記載の小型電動車両。 
【発明の詳細な説明】
【技術分野】
【０００１】
本発明は、手押し走行が可能なモビリティに関するものである。
【背景技術】
【０００２】
従来より、手押し走行が可能なモビリティに関する技術が種々提案されている。例えば、特許文献１に記載された携帯折り畳み自転車では、折り畳み状態の自転車背面にバスケットキャリヤを乗せ、バスケットキャリヤの底面を背面にそって装着凹面溝を形成して結合させ、接続バンドで固定する。バスケットキャリヤには、キャスター車と、折り畳める取手を取付けている。このような状態でショッピング用カート式として利用する。
【０００３】
一方、モビリティが小型電動車両である場合には、手押し走行時の駆動輪の回転が走行抵抗になることを避ける必要があるので、駆動輪の回転動力が電動モーター等に伝達されないようにするためのクラッチレバー等が小型電動車両に設けられる。
【先行技術文献】
【特許文献】
【０００４】
【特許文献１】特開２００４−３３８７１０号公報
【発明の概要】
【発明が解決しようとする課題】
【０００５】
しかしながら、小型電動車両において、駆動輪の回転動力が電動モーター等に伝達されないようにしても、手押しで小型電動車両をショッピングカートのように軽く動かすことは困難であった。
【０００６】
そこで、本発明は、上述した点を鑑みてなされたものであり、本来備えている電動走行性能に支障を与えることなく手押し走行時の軽快性を実現させることが可能な小型電動車両を提供することを課題とする。
【課題を解決するための手段】
【０００７】
【０００８】
【０００９】
【００１０】
この課題を解決するためになされた請求項１に係る発明は、電動走行状態から手押し走行状態に切り替えることが可能な小型電動車両であって、電動モーターで駆動される駆動輪と、駆動輪と比べて走行抵抗が小さい補助輪と、電動走行状態では駆動輪を走行面に接地させると共に補助輪を走行面から離間させる一方、手押し走行状態では駆動輪を走行面から離間させると共に補助輪を走行面に接地させる可変機構とを備え、可変機構は、補助輪を走行面に接地させることにより駆動輪を走行面から浮上させて、電動走行状態から手押し走行状態に切り替え、ハンドルを固定するためのハンドルロック機構を備え、手押し走行状態において、ハンドルロック機構によりハンドルが固定された状態で、一端部がシートに載置されるショッピングバスケットの他端部を支えるサポート部材を備え、ハンドルロック機構は、係止部材と係止穴とで構成され、サポート部材の移動によって、係止部材の先端部が係止穴に挿入されると共に、ショッピングバスケットの他端部をサポート部材の上端部で支持することが可能な状態に移行することを特徴とする。
【００１１】
請求項２に係る発明は、請求項１に記載の小型電動車両であって、メインフレームと、メインフレームに取り付けられると共に第１ガイド溝が貫設され、第１ガイド溝の下端にノッチ部が形成されたブラケットと、前端部がブラケットに回動可能に支持され、中央部に第２ガイド溝が貫設され、後端部にペダルが設けられたワンタッチレバーと、一端部がブラケットに回動可能に支持され、中央部に第３ガイド溝が貫設され、他端部に補助輪が設けられたスイングアームと、第１ガイド溝、第２ガイド溝、及び第３ガイド溝に通されたガイド軸と、ワンタッチレバー又はガイド軸を付勢して、第１ガイド溝、第２ガイド溝、及び第３ガイド溝内の所定箇所にガイド軸を位置させることにより、電動走行状態とする付勢部材とを備え、可変機構は、ワンタッチレバーの回動に応じて、ガイド軸が第１ガイド溝、第２ガイド溝、及び第３ガイド溝内を誘導され、ガイド軸がノッチ部に係止されることにより、電動走行状態から手押し走行状態にワンタッチで切り替えることを特徴とする。
【発明の効果】
【００１２】
請求項１に係る発明の小型電動車両では、補助輪が電動走行状態で走行面から離間しているので、補助輪が電動走行状態を妨げることはない。電動走行状態から手押し走行状態に切り替えられると、補助輪が走行面に接地し、駆動輪が走行面から浮上する。手押し走行状態では、駆動輪と比べて走行抵抗が小さい補助輪が走行面上を回転するので、軽やかな手押し走行が行われる。従って、請求項１に係る発明の小型電動車両は、本来備えている電動走行性能に支障を与えることなく手押し走行時の軽快性を実現させることが可能である。
【００１３】
【００１４】
請求項１に係る発明の小型電動車両では、手押し走行状態でハンドルがロックされると、走行方向が安定するので、手押し走行時の操作性と安全性が向上する。
【００１５】
請求項１に係る発明の小型電動車両では、手押し走行状状態においてハンドルが固定された状態で、一端部がシートに載置されるショッピングバスケットの他端部が支えられるので、手押し走行時にショッピングカートとして機能することが可能である。
【００１６】
請求項２に係る発明の小型電動車両では、ワンタッチレバーの回動に応じて、電動走行状態から手押し走行状態にワンタッチで切り替えられるので、手押し走行状態への切替操作が容易である。
【図面の簡単な説明】
【００１７】
【図１】（ａ）は本実施形態に係る小型電動車両の電動走行状態を表した平面図であり、（ｂ）は同小型電動車両の電動走行状態を表した側面図である。
【図２】同小型電動車両の電動走行状態を表した背面図である。
【図３】電動走行状態の同小型電動車両が図２の線Ａ−Ａで切断された断面を表した断面図である。
【図４】電動走行状態の同小型電動車両が図２の線Ｂ−Ｂで切断された断面を表した断面図である。
【図５】電動走行状態の同小型電動車両が図２の線Ｃ−Ｃで切断された断面を表した断面図である。
【図６】（ａ）は同小型電動車両の手押し走行状態を表した平面図であり、（ｂ）は同小型電動車両の手押し走行状態を表した側面図である。
【図７】同小型電動車両の手押し走行状態を表した背面図である。
【図８】手押し走行状態の同小型電動車両が図７の線Ｄ−Ｄで切断された断面を表した断面図である。
【図９】手押し走行状態の同小型電動車両が図７の線Ｅ−Ｅで切断された断面を表した断面図である。
【図１０】手押し走行状態の同小型電動車両が図７の線Ｆ−Ｆで切断された断面を表した断面図である。
【図１１】ハンドルロック時の同小型電動車両の手押し走行状態を表した側面図である。
【図１２】ハンドルロック時にショッピングバスケットが載置された同小型電動車両の手押し走行状態を表した側面図である。
【図１３】同小型電動車両の折畳状態を表した側面図である。
【図１４】同小型電動車両の折畳状態を表した背面図である。
【図１５】第２ワンタッチレバーを表した側面図である。
【発明を実施するための形態】
【００１８】
以下、本発明に係る小型電動車両について、具体化した本実施形態に基づき、図面を参照しつつ説明する。本実施形態の小型電動車両は、電動走行状態と手押し走行状態に切り替えることが可能な電動三輪車である。電動走行状態では、電動モーターを駆動源とする通常の電動走行が行われる。手押し走行状態では、利用者が手押し操作する台車（カート）のような手押し走行が行われる。尚、以下の説明に用いる各図面では、基本的構成の一部が省略されて描かれていることがある。また、ブレーキ関係や電気配線関係等は、省略されて描かれている。
【００１９】
［１．電動走行状態］
図１及び図２に表すように、本実施形態の小型電動車両１では、ハンドルシャフトホルダー１１を備えている。ハンドルシャフトホルダー１１の上端部には、ハンドルシャフト１３が略水平方向に回動可能に取り付けられている。ハンドルシャフト１３の上端部には、ハンドル１５が固設されている。ハンドルシャフトホルダー１１の下端部には、フロントフォーク１７が固設されている。フロントフォーク１７の下端部には、前輪１９が回動可能に支持されている。
【００２０】
ハンドルシャフトホルダー１１には、第１フロントフレーム２１の前端部が固設されている。第１フロントフレーム２１の中央部には、フレーム回動機構２３を介して、第２フロントフレーム２５の前端部が取り付けられている。フレーム回動機構２３は、第１フロントフレーム２１及び第２フロントフレーム２５を一直線状に展開することを可能にする一方、ハンドルシャフト１３に対して第２フロントフレーム２５を近接させて折り畳むことを可能にする（後述する図１３等参照）。
【００２１】
第２フロントフレーム２５の後端部には、第１フレーム支持機構２７を介して、メインフレーム２９の前端部が取り付けられている。第１フレーム支持機構２７は、第２フロントフレーム２５及びメインフレーム２９を図１（ｂ）視で略Ｖ字状に展開して固定することを可能にする一方、その固定を解除して、第２フロントフレーム２５及びメインフレーム２９を図１（ｂ）視で逆Ｖ字状に近接させて折り畳むことを可能にする（後述する図１３等参照）。
【００２２】
メインフレーム２９の後端部には、ブラケット３１が固設されている。ブラケット３１には、第２フレーム支持機構３３を介して、シートフレーム３５が取り付けられている。第２フレーム支持機構３３は、メインフレーム２９及びシートフレーム３５を図１（ｂ）視で略Ｖ字状に展開して固定することを可能にする一方、その固定を解除して、メインフレーム２９及びシートフレーム３５を近接させて折り畳むことを可能にする（後述する図１３等参照）。
【００２３】
シートフレーム３５の上端部には、シート回動機構３６を介して、シート３７が取り付けられている。シート回動機構３６は、シートフレーム３５及びシート３７を図１（ｂ）視で逆Ｖ字状に展開することを可能にする一方、シート３７を回動移動させることによりシート３７の前端部を上方向に向けさせて折り畳むことを可能にする（後述する図１３等参照）。また、シートフレーム３５の中央部には、シート３７の後側を囲んだパイプ材３９が固設されている。
【００２４】
さらに、メインフレーム２９には、リアフレーム４１が固設されている。リアフレーム４１の右端には右側後輪４３Ａが回動可能に支持され、リアフレーム４１の左端には左側後輪４３Ｂが回動可能に支持されている。左側後輪４３Ｂには、電動モーター４５が取り付けられている。つまり、左側後輪４３Ｂは駆動輪である。
【００２５】
電動走行状態では、前輪１９、右側後輪４３Ａ、及び左側後輪４３Ｂが、走行面Ｕに接地している。前輪１９、右側後輪４３Ａ、及び左側後輪４３Ｂは、電動モーター４５の駆動力が左側後輪４３Ｂに伝達されると、走行面Ｕ上で回転する。
【００２６】
次に、図３乃至図５を参照して、以下のように構成される可変機構４７（図５参照）について説明する。図３に表すように、ブラケット３１の後端部には、屈曲状の第１ガイド溝１０１が設けられている。第１ガイド溝１０１の下端部には、ノッチ部１０３が第１ガイド溝１０１に連ねて設けられている。また、ブラケット３１には、第１回動軸１０５、第２回動軸１０７、及び第３回動軸１０９が設けられており、スプリング１１１が第１回動軸１０５の周辺に内蔵されている。
【００２７】
図４に表すように、第１回動軸１０５には、第１ワンタッチレバー１１３の前端部が取り付けられている。これにより、第１ワンタッチレバー１１３は、第１回動軸１０５を中心にして回動可能である。第１ワンタッチレバー１１３の中央部には、直線状の第２ガイド溝１１５が設けられている。第１ワンタッチレバー１１３の後端部には、平板面を有する第１ペダル１１７が固設されている。
【００２８】
図５に表すように、第２回動軸１０７には、スイングアーム１１９の一端部が取り付けられている。これにより、スイングアーム１１９は、第２回動軸１０７を中心にして回動可能である。スイングアーム１１９の中央部には、直線状の第３ガイド溝１２１が設けられている。スイングアーム１１９の両他端部には、一対の自在キャスター１２３，１２３が取り付けられている（図２参照）。
【００２９】
一対の自在キャスター１２３，１２３は、ショッピングカートの規格に準じたもの（例えば、１００ｍｍ程度の車輪径のもの）が使用される。
【００３０】
それに加えて、一対の自在キャスター１２３，１２３は、右側後輪４３Ａ及び左側後輪４３Ｂと比べて、台車（カート）のような手押し操作によって走行面上を回転する際の走行抵抗が小さいものが使用される。そのような使用を実現するためには、例えば、右側後輪４３Ａ及び左側後輪４３Ｂのようなゴム車輪より硬度が高い材質の車輪（例えば、ウレタン車輪、ナイロン車輪、フェノール車輪等）を備えたものを一対の自在キャスター１２３，１２３として使用したり、或いは、いわゆる坂道転倒防止キャスターより車輪径が大きいものであるが右側後輪４３Ａ及び左側後輪４３Ｂより車輪径が小さいものを一対の自在キャスター１２３，１２３として使用したりする。但し、一対の自在キャスター１２３，１２３は、右側後輪４３Ａ及び左側後輪４３Ｂと比べて走行抵抗が少なければ、上述した車輪材質や車輪径に限られるものではない。
【００３１】
第１ガイド溝１０１、第２ガイド溝１１５、及び第３ガイド溝１２１には、ガイド軸Ｓが挿設されている。ガイド軸Ｓの両端部には、ボルト等の抜止部材が設けられている。これにより、第１ガイド溝１０１、第２ガイド溝１１５、及び第３ガイド溝１２１からガイド軸Ｓが抜け外れないようにされている。
【００３２】
第１ワンタッチレバー１１３は、ブラケット３１に内蔵されたスプリング１１１によって、図４視で反時計回り（矢印Ｚ１回り）に回動移動するように付勢されている。尚、その回動移動については、第１回動軸１０５を回動中心とする。
【００３３】
このようにして構成される可変機構４７によって、電動走行状態におけるガイド軸Ｓは、第１ガイド溝１０１、第２ガイド溝１１５、及び第３ガイド溝１２１内の各ホームポジションに保持される。そのため、第１ペダル１１７の平板面は走行面Ｕに略平行となる位置に保持されると共に、一対の自在キャスター１２３，１２３は走行面Ｕから離間した位置に保持される。
【００３４】
つまり、本実施形態の小型電動車両１では、電動走行状態にあると、前輪１９、右側後輪４３Ａ、及び左側後輪４３Ｂが走行面Ｕに接地すると共に、一対の自在キャスター１２３，１２３が走行面Ｕから離間している。従って、一対の自在キャスター１２３，１２３が電動走行状態を妨げることはない。
【００３５】
ちなみに、一対の自在キャスター１２３，１２３が走行面Ｕから離間する距離は、想定される坂道走行に支障がない程度の高さに設定される。よって、電動走行状態における一対の自在キャスター１２３，１２３は、いわゆる坂道転倒防止キャスターとして機能することができる。
【００３６】
［２．手押し走行状態］
次に、図６乃至図１０に表す手押し走行状態について説明する。手押し走行状態では、図６及び図７に表すように、右側後輪４３Ａ及び左側後輪４３Ｂが走行面Ｕから離間すると共に、前輪１９及び一対の自在キャスター１２３，１２３が走行面Ｕに接地している。利用者は、本実施形態の小型電動車両１の後側よりパイプ材３９を握りながら、本実施形態の小型電動車両１を押し進むことにより、台車（カート）のような手押し走行を行うことができる。
【００３７】
電動走行状態から手押し走行状態に切り替えられる際には、図８乃至図１０に表すように、第１ワンタッチレバー１１３が、ブラケット３１に内蔵されたスプリング１１１の付勢力に対抗しながら、図８視で時計回り（矢印Ｚ２回り）に回動移動される。尚、その回動移動については、第１回動軸１０５が回動中心とされ、例えば、利用者が第１ペダル１１７の平板面を走行面Ｕに向かって踏み込むことによって実現される。
【００３８】
第１ワンタッチレバー１１３が図８視で時計回り（矢印Ｚ２回り）に回動移動すると、第１ワンタッチレバー１１３の第２ガイド溝１１５内では、ガイド軸Ｓが上記ホームポジションから移動して図８視で左端にまで導かれる。
【００３９】
ブラケット３１の第１ガイド溝１０１内では、ガイド軸Ｓが上記ホームポジションから移動して図９視で下端にまで導かれた後、ガイド軸Ｓがノッチ部１０３に移動して係止される。ブラケット３１の第３ガイド溝１２１内では、ガイド軸Ｓが上記ホームポジションから移動して図１０視で略中央にまで導かれる。
【００４０】
このように動作する可変機構４７によって、図６及び図７に表すように、一対の自在キャスター１２３，１２３が走行面Ｕに接地され、その接地によって、右側後輪４３Ａ及び左側後輪４３Ｂが走行面Ｕから浮上する。
【００４１】
つまり、本実施形態の小型電動車両１では、電動走行状態から手押し走行状態に切り替えられると、一対の自在キャスター１２３，１２３が走行面Ｕに接地し、右側後輪４３Ａ及び左側後輪４３Ｂが走行面Ｕから浮上する。手押し走行状態では、右側後輪４３Ａ及び左側後輪４３Ｂと比べて走行抵抗が小さい一対の自在キャスター１２３，１２３が走行面Ｕ上を回転するので、軽やかな手押し走行が行われる。
【００４２】
以上より、本実施形態の小型電動車両１は、本来備えている電動走行性能に支障を与えることなく手押し走行時の軽快性を実現させており、電動走行と手押し走行を両立させている。
【００４３】
また、台車（カート）のような手押し走行が行われるときは、駆動輪である左側後輪４３Ｂが走行面Ｕから浮上しており、利用者の手押しによる力のみが駆動源となることから、暴走等の危険がない。
【００４４】
さらに、走行面Ｕ上を回転する一対の自在キャスター１２３，１２３によって、小さな旋回を自在に行うことが可能となるので、手押し走行時の旋回性が向上する。
【００４５】
さらに、例えば、利用者が第１ペダル１１７の平板面を走行面Ｕに向かって踏み込むようなワンタッチ動作を行うと、第１ワンタッチレバー１１３が回動し、その回動に応じて、電動走行状態から手押し走行状態に切り替えられるので、手押し走行状態への切替操作が容易且つ楽である。
【００４６】
［３．ハンドルのロック］
図１１及び図１２に表すように、本実施形態の小型電動車両１は、係止部材２０１、サポート部材２０３、及び係止穴２０５を備えている。係止部材２０１は、鈎状に形成されており、ハンドルシャフト１３の下端部にて図視で上下方向に回動可能に取り付けられている。サポート部材２０３は、ハンドルシャフト１３側に接する係止部材２０１の一端部にて図視で上下方向に回動可能に取り付けられている。
【００４７】
係止穴２０５は、ハンドルシャフトホルダー１１に設けられた穴とハンドルシャフト１３の下端部に設けられた穴で構成される。直進するようにハンドル１５が操作されたときに、ハンドルシャフトホルダー１１の穴とハンドルシャフト１３の穴が連通する。
【００４８】
図１（ａ）及び図６（ａ）に表すように、サポート部材２０３の下端部では、車幅方向の横幅がハンドルシャフト１３のシャフト径程度で狭い。これに対して、サポート部材２０３の上端部では、車幅方向の横幅がシート３７の横幅程度に広く、その横幅方向の形状が水平方向に平行な直線状になっている。
【００４９】
手押し走行状態において、直進するようにハンドル１５が操作された後で、サポート部材２０３の上端部が図１１視で時計回り（矢印Ｚ３回り）に回動移動されると、この回動移動に連動して、係止部材２０１の先端部が図１１視で時計回り（矢印Ｚ３回り）に回転移動してハンドルシャフトホルダー１１に到達する。これにより、図１１に表すように、係止部材２０１の先端部が、係止穴２０５（つまり、ハンドルシャフトホルダー１１の穴及びハンドルシャフト１３の穴）に挿入される。
【００５０】
そのため、ハンドルシャフトホルダー１１とハンドルシャフト１３の相対的位置関係が固定されるので、直進するように操作されたハンドル１５がロックされる。よって、係止部材２０１と係止穴２０５は、ハンドルロック機構Ｒを構成する。
【００５１】
以上より、本実施形態の小型電動車両１では、手押し走行状態において、直進するように操作されたハンドル１５をロックさせることができ、そのようにハンドル１５がロックされると走行方向が安定するので、手押し走行時の操作性と安全性が向上する。
【００５２】
［４．ショッピングバスケットの搭載］
本実施形態の小型電動車両１では、手押し走行状態において、直進するように操作されたハンドル１５がロックされると、図１２に表すように、ショッピングバスケット２０７を置くことができる。ショッピングバスケット２０７が置かれると、図１２視でショッピングバスケット２０７の右側端部がシート３７で支持され、図１２視でショッピングバスケット２０７の左側端部がサポート部材２０３の上端部で支持される。
【００５３】
従って、本実施形態の小型電動車両１は、手押し走行時にショッピングカートとして機能することが可能である。
【００５４】
このようにして、本実施形態の小型電動車両１がショッピングカートとして利用される場合には、シート３７がショッピングバスケット２０７を受け止める機能を果たし、シート３７の後側を囲んだパイプ材３９がショッピングカートのハンドルとしての機能を果たす。
【００５５】
また、本実施形態の小型電動車両１がショッピングカートとして利用される場合には、電動走行状態から手押し走行状態に切り替える必要があるが、上述したように、手押し走行状態への切替操作は容易且つ楽である。そのため、本実施形態の小型電動車両１は、手軽にショッピングカートとして店舗内で利用できる。
【００５６】
その一方で、利用者は、本実施形態の小型電動車両１を電動走行状態で使用することにより店舗の入口付近まで移動すれば、本実施形態の小型電動車両１をシニアカーと同様な歩行補助車として使用することが可能である。よって、店舗の駐車場から店舗の入口まで利用者が歩行して移動することが不要となるので、その移動負担を利用者が感じることはない。
【００５７】
その後、利用者は、上述したように、本実施形態の小型電動車両１を店舗内でショッピングカートとして手軽に利用できるので、本実施形態の小型電動車両１から店舗側のショッピングカートに移行する必然性が無くなり、その移行の手間が省かれる。従って、利用者は、本実施形態の小型電動車両１を店舗内外で使い続けられるので、店舗側は、本実施形態の小型電動車両１のための駐車スペースや保管場所を確保する必要がない。
【００５８】
［５．折畳状態］
図１３及び図１４に表すように、本実施形態の小型電動車両１は折り畳むことが可能である。尚、符号ＢＡは、電動モーター４５の駆動源であるバッテリーを示している。
【００５９】
折畳状態では、直進するように操作されたハンドル１５がロックされ、手押し走行状態と同様にして、右側後輪４３Ａ及び左側後輪４３Ｂが走行面Ｕから離間すると共に、前輪１９及び一対の自在キャスター１２３，１２３が走行面Ｕに接地している。従って、折畳状態で走行面Ｕ上を移動する際も、手押し走行状態と同様にして、軽快性が実現され、旋回性、操作性、及び安全性が向上する。
【００６０】
［６．その他］
ちなみに、本実施形態において、左側後輪４３Ｂは、「駆動輪」の一例である。スプリング１１１は、「付勢部材」の一例である。第１ワンタッチレバー１１３は、「ワンタッチレバー」の一例である。一対の自在キャスター１２３，１２３は、「補助輪」の一例である。
【００６１】
尚、本発明は上記実施形態に限定されるものでなく、その趣旨を逸脱しない範囲で様々な変更が可能である。
例えば、係止部材２０１とサポート部材２０３では、それぞれの回動移動が連動せず個別に行われても良い。
【００６２】
また、第１ワンタッチレバー１１３に代えてガイド軸Ｓを付勢させても良い。このような場合には、第１ガイド溝１０１、第２ガイド溝１１５、及び第３ガイド溝１２１内において、ガイド軸Ｓが上方向に付勢される。
【００６３】
また、図１乃至図５等に表すように、第３回動軸１０９に第２ワンタッチレバー３０１の前端部を回動可能に取り付けると共に、第２ワンタッチレバー３０１の後端部に平板面を有する第２ペダル３０３を固設しても良い。このような場合には、第２ワンタッチレバー３０１は、ブラケット３１に内蔵されたスプリングによって、図４視で反時計回り（矢印Ｚ１回り）に回動移動するように付勢される。そのため、第２ペダル３０３の平板面は走行面Ｕに略平行となる位置に保持される。その回動移動については、第３回動軸１０９を回動中心とする。
【００６４】
第２ワンタッチレバー３０１の後端部には、図１５に表すように、突片部３０５が形成されている。突片部３０５は、手押し走行状態において第２ワンタッチレバー３０１が図４視で時計回り（矢印Ｚ４回り）に回動移動されると、ガイド軸Ｓをノッチ部１０３から押し出して第１ガイド溝１０１に導く。その回動移動については、第３回動軸１０９が回動中心とされ、例えば、利用者が第２ペダル３０３の平板面を走行面Ｕに向かって踏み込むことによって実現される。つまり、利用者が第２ペダル３０３の平板面を走行面Ｕに向かって踏み込むようなワンタッチ動作によって、手押し走行状態から電動走行状態に切り替えることが可能である。
【符号の説明】
【００６５】
１    小型電動車両
１５    ハンドル
２９    メインフレーム
３１    ブラケット
３７    シート
４３Ｂ  左側後輪
４５    電動モーター
４７    可変機構
１０１  第１ガイド溝
１０３  ノッチ部
１１１  スプリング
１１３  第１ワンタッチレバー
１１５  第２ガイド溝
１１７  第１ペダル
１１９  スイングアーム
１２１  第３ガイド溝
１２３  自在キャスター
２０１  係止部材
２０３  サポート部材
２０５  係止穴
２０７  ショッピングバスケット
Ｒ  ハンドルロック機構
Ｓ  ガイド軸
Ｕ  走行面
【図１】
0006546110.tif 000002
【図２】
0006546110.tif 000003
【図３】
0006546110.tif 000004
【図４】
0006546110.tif 000005
【図５】
0006546110.tif 000006
【図６】
0006546110.tif 000007
【図７】
0006546110.tif 000008
【図８】
0006546110.tif 000009
【図９】
0006546110.tif 000010
【図１０】
0006546110.tif 000011
【図１１】
0006546110.tif 000012
【図１２】
0006546110.tif 000013
【図１３】
0006546110.tif 000014
【図１４】
0006546110.tif 000015
【図１５】
0006546110.tif 000016